(57)【要約】【課題】一つの光源からの光を、この光源の光軸に直交する方向に均一に拡散させるようにした照明装置を提供する。【解決手段】光源Ｌと、この光源Ｌの前方に位置される導光体Ｇとを備えてなる照明装置である。前記導光体Ｇは、前記光源Ｌ側に形成された第一面部１と、この第一面部１と反対の側に形成された第二面部２とを備えている。前記第一面部１は平面１ａにより構成されており、前記第二面部２は前記光源Ｌの光軸Ｌａに対して直角を除いた角度で交わる傾斜面２ａにより構成されている。前記傾斜面２ａと前記光軸Ｌａとが前記光源Ｌ側においてなす角度が、前記光軸Ｌａ上に位置される前記第二面部２の中央側で小さく、前記第二面部２の周辺側で大きくなるようにしてなる。【選択図】図１１
2016107699.tif 000002
【特許請求の範囲】
【請求項１】
光源と、この光源の前方に位置される導光体とを備えてなる照明装置であって、
前記導光体は、前記光源側に形成された第一面部と、この第一面部と反対の側に形成された第二面部とを備えており、
前記第一面部は平面により構成されており、
前記第二面部は前記光源の光軸に対して直角を除いた角度で交わる傾斜面により構成されており、
前記傾斜面と前記光軸とが前記光源側においてなす角度が、前記光軸上に位置される前記第二面部の中央側で小さく、前記第二面部の周辺側で大きくなるようにしてなる、照明装置。
【請求項２】
前記導光体は、長さと幅とを備え、前記第二面部の形成側において長さ方向に沿った一辺部を出射部とすると共に、この出射部と長さ方向に沿った他辺部との間に前記第二面部を備えてなる、請求項１に記載の照明装置。
【請求項３】
前記第二面部における前記光軸を含んだ仮想の垂直面又は水平面を挟んだ一方側の形状に対し、他方側の形状が対称となるようにしてなる、請求項１又は請求項２に記載の照明装置。
【請求項４】
前記第二面部を、前記光源の光軸に対する角度を異ならせる複数の傾斜面から構成させてなる、請求項１〜請求項３のいずれか１項に記載の照明装置。
【請求項５】
自動車の内装品を構成する抽斗装置であって、
請求項１〜４のいずれか１項に記載の照明装置を内蔵すると共に、前記抽斗装置を構成する抽斗体の前面に形成された細長い表示部を前記導光体の出射部により発光させるようにしてなる、抽斗装置。
【発明の詳細な説明】
【技術分野】
【０００１】
この発明は、一つの光源からの光を、この光源の光軸に直交する方向に均一に拡散させるようにした照明装置、及び、これを利用してなる抽斗装置に関する。
【背景技術】
【０００２】
車載用の容器ホルダにおいて、光源の光を導光部材を介して、抽斗タイプの容器保持部材の前面に設けた横長の表示プレートに導き、これを発光させるようにしたものがある（特許文献１参照）。
【０００３】
このような長さを持った表示プレートを、単一の光源によって発光させるようにした場合、光源の光軸上の輝度に対し光軸の側方における輝度が低下し、表示プレート全体を均一に輝かせ難い。
【先行技術文献】
【特許文献】
【０００４】
【特許文献１】特開２００２−３０７９９４号公報
【発明の概要】
【発明が解決しようとする課題】
【０００５】
この発明が解決しようとする主たる問題点は、一つの光源からの光を、この光源の光軸に直交する方向に均一に拡散させるようにした照明装置、及び、これを利用してなる抽斗装置を提供する点にある。
【課題を解決するための手段】
【０００６】
前記課題を達成するために、この発明にあっては、第一の観点から、照明装置を、
光源と、この光源の前方に位置される導光体とを備えてなる照明装置であって、
前記導光体は、前記光源側に形成された第一面部と、この第一面部と反対の側に形成された第二面部とを備えており、
前記第一面部は平面により構成されており、
前記第二面部は前記光源の光軸に対して直角を除いた角度で交わる傾斜面により構成されており、
前記傾斜面と前記光軸とが前記光源側においてなす角度が、前記光軸上に位置される前記第二面部の中央側で小さく、前記第二面部の周辺側で大きくなるようにしてなる、ものとした。
【０００７】
第二面部を構成する傾斜面と光軸とがなす前記角度を第二面部の周辺側で大きくさせると、光源からの光のうち、第一面部から入射され第二面部に反射された後さらに第一面部に反射されて前方に向かう光、つまり、前記出射部から放射される光を光軸側に寄せることができる。これにより、一つの光源からの光を、この光源の光軸に直交する方向に可及的に均一に拡散させて、典型的には、前記光により発光される細長い表示部をその長さ方向に亘る各位置において輝度が異ならないように発光させることが可能となる。
【０００８】
前記導光体は、長さと幅とを備え、前記第二面部の形成側において長さ方向に沿った一辺部を出射部とすると共に、この出射部と長さ方向に沿った他辺部との間に前記第二面部を備えてなる、ものとすることが、この発明の好ましい態様の一つとされる。
【０００９】
また、前記第二面部における前記光軸を含んだ仮想の垂直面又は水平面を挟んだ一方側の形状に対し、他方側の形状が対称となるようにしておくことが、この発明の好ましい態様の一つとされる。
【００１０】
また、前記第二面部を、前記光源の光軸に対する角度を異ならせる複数の傾斜面から構成させておくことが、この発明の好ましい態様の一つとされる。
【００１１】
また、前記課題を達成するために、この発明にあっては、第二の観点から、抽斗装置を、
自動車の内装品を構成する抽斗装置であって、
前記照明装置を内蔵すると共に、前記抽斗装置を構成する抽斗体の前面に形成された細長い表示部を前記導光体の出射部により発光させるようにしてなる、ものとした。
【発明の効果】
【００１２】
この発明にかかる照明装置によれば、一つの光源からの光を、この光源の光軸に直交する方向に可及的に均一に拡散させることができる。この発明にかかる抽斗装置は、前記光源の光により発光される細長い表示部をその長さ方向に亘る各位置において輝度が異ならないように発光させる。
【図面の簡単な説明】
【００１３】
【図１】図１は、この発明の一実施の形態にかかる照明装置を内蔵させてなる抽斗装置の斜視図であり、抽斗体を押し込みきった状態を示している。
【図２】図２は、前記抽斗装置の斜視図であり、抽斗体を引き出した状態を示している。
【図３】図３は、前記抽斗装置の利用状態を示した縦断面構成図であり、二点鎖線は押し込みきった位置にある抽斗体の蓋部、インストルメントパネル、飲料容器を示している。
【図４】図４は、前記抽斗装置の要部縦断面構成図であり、抽斗体を押し込みきった状態を示している。
【図５】図５は、前記抽斗装置を構成する蓋部を裏側から見て示した斜視図である。
【図６】図６は、前記照明装置を構成する導光体の斜視図であり、第一面部側からかかる導光体を見て示している。
【図７】図７は、前記照明装置を構成する導光体の斜視図であり、第二面部側からかかる導光体を見て示している。
【図８】図８は、図７におけるＡ−Ａ線位置での断面図である。
【図９】図９は、図７におけるＢ−Ｂ線位置での断面図である。
【図１０】図１０は、照明装置の要部を水平方向の断面として示した構成図である。
【図１１】図１１は、図１０における導光体の拡大構成図である。
【図１２】図１２は、図１０における導光体の拡大構成図である。
【図１３】図１３は、導光体の第二面部の別の構成例を示した導光体の要部拡大構成図である。
【発明を実施するための形態】
【００１４】
以下、図１〜図１３に基づいて、この発明の典型的な実施の形態について、説明する。この実施の形態にかかる照明装置は、一つの光源Ｌからの光を、この光源Ｌの光軸Ｌａに直交する方向に可及的に均一に拡散させて、典型的には、前記光により発光される細長い表示部１４ｈをその長さ方向に亘る各位置において輝度が異ならないように発光させるものである。
【００１５】
かかる照明装置は、光源Ｌ（発光ダイオードや電球）と、この光源Ｌの前方に位置される導光体Ｇとを備えてなる。図示の例では、かかる導光体Ｇは光透過性を持ったプラスチック製のものとなっている。
【００１６】
前記導光体Ｇは、前記光源Ｌ側に形成された第一面部１と、この第一面部１と反対の側に形成された第二面部２とを備えている。
【００１７】
そして、かかる導光体Ｇの前記第一面部１は平面１ａにより構成されており、前記第二面部２は前記光源Ｌの光軸Ｌａに対して直角を除いた角度で交わる傾斜面２ａにより構成されている。
【００１８】
図示の例では、前記導光体Ｇは、長さと幅とを備え、前記第二面部２の形成側において長さ方向に沿った一辺部３を出射部５とすると共に、この出射部５と長さ方向に沿った他辺部４との間に前記第二面部２を備えたものとなっている。
【００１９】
図示の例では、出射部５は、前記一辺部３に沿って形成されると共に、前記第二面部２よりも前方に突き出す台状をなしている。
【００２０】
また、図示の例では、第二面部２は、出射部５の下方において、導光体Ｇの長さ方向中程の位置を最深部６ａとして形成された凹所６の内面によって構成されている。かかる凹所６は、前記最深部６ａを通って導光体Ｇを左右に二分する仮想の中心線ｘと導光体Ｇの右辺部７との間に位置される仮想の第一直線ｙ１と、前記中心線ｘと導光体Ｇの左辺部８との間に位置されると共に前記中心線ｘとの間の距離を前記第一直線ｙ１と中心線ｘとの間の距離と等しくする第二直線ｙ２との間に形成されている（図７参照）。前記中心線ｘに直交する向きでのかかる凹所６の断面形状は、この中心線ｘの連続方向において、いずれの位置においても略等しくなるようになっている。第二面部２と出射部５との間には、出射部５に近づくに連れて次第に前方に向かう傾斜面９が形成されている。
【００２１】
かかる導光体Ｇは、前記中心線ｘが、前記光軸Ｌａ上に位置されるように、前記光源Ｌの前方に設置される。
【００２２】
そして、前記第二面部２は、前記光軸Ｌａを含んだ仮想の垂直面ｚ（図１０参照）を挟んだ一方側の形状に対し、他方側の形状が対称となるように形成されている。
【００２３】
また、図示の例では、第二面部２は、前記中心線ｘと前記第一直線ｙ１との間を二分する位置と前記中心線ｘとの間、及び、前記中心線ｘと前記第二直線ｙ２との間を二分する位置と前記中心線ｘとの間、つまり、第二面部２の中央側で傾斜を大きくし、その外側、つまり、第二面部２の周辺側で傾斜を小さくしている。すなわち、前記傾斜面２ａと前記光軸Ｌａとが前記光源Ｌ側においてなす角度は、前記光軸Ｌａ上に位置される前記第二面部２の中央側で小さく（θ１、図１２）、前記第二面部２の周辺側で大きくなっており（θ２、図１１）、また、前記第二面部２は、前記光源Ｌの光軸Ｌａに対する角度を異ならせる複数の傾斜面２ａから構成されている。
【００２４】
一方、導光体Ｇは、第一面部１の形成側において、出射部５の後方に、前記一辺部３に沿った台状隆起部１０を備えている。前記第一面部１は、この台状隆起部１０と導光体Ｇの他辺部４との間に形成されている。すなわち、平面１ａである前記第一面部１の前方に傾斜面２ａよりなる前記第二面部２が形成されている。
【００２５】
第二面部２を構成する傾斜面２ａと光軸Ｌａとがなす前記角度を第二面部２の周辺側で大きくさせると、光源Ｌからの光のうち、第一面部１から入射され第二面部２に反射された後さらに第一面部１に反射されて前方に向かう光、つまり、前記出射部５から放射される光を光軸Ｌａ側に寄せることができる（図１１／かかる光の道筋を二点鎖線で示す。）。これにより、一つの光源Ｌからの光を、この光源Ｌの光軸Ｌａに直交する方向に可及的に均一に拡散させて、典型的には、前記光により発光される細長い表示部１４ｈをその長さ方向に亘る各位置において輝度が異ならないように発光させることが可能となる。
【００２６】
前記第二面部２の周辺側の傾斜面２ａの傾斜を中央側の傾斜面２ａの傾斜と仮に等しくしたとすると、図１２において二点鎖線で示すように、光源Ｌからの光のうち、第一面部１から入射され第二面部２に反射された後さらに第一面部１に反射されて前方に向かう光の道筋は光軸Ｌａ側から離れる。このため、前記光により発光される細長い表示部１４ｈの輝度はこの表示部１４ｈの端側で低下する。
【００２７】
図示は省略するが、前記凹所６を最深部６ａを点状に備える構成とし、この最深部６ａを中心とした円状の範囲を傾斜の大きい傾斜面２ａからなる第二面部２の中央側２ｂとし、この中央側２ｂを取り巻くリング状の範囲を傾斜の小さい傾斜面２ａからなる第二面部２の周辺側２ｃとするようにしても良い。このようにした場合、光軸Ｌａを中心とした全周方向において、図１１に示される効果が得られることとなる。
【００２８】
図示の例では、かかる照明装置は、自動車の内装品を構成する抽斗装置Ｈに内蔵されて、この抽斗装置Ｈの一部をなすものとなっている。
【００２９】
図示の例では、前記抽斗装置Ｈは、横長の前面開口１３ａを備えた本体１３と、この本体１３に前後動可能に納められると共に前端部に本体１３内に押し込みきられた位置において前記前面開口１３ａを塞ぐ横長の蓋部１４ａを備えた抽斗体１４とを備えている。
【００３０】
かかる抽斗装置Ｈは、典型的には、図３に示されるように、インストルメントパネル１５の内方に本体１３を納め、抽斗体１４が押し込みきられた位置で前記蓋部１４ａがインストルメントパネル１５の化粧面の一部をなすようにして利用される。
【００３１】
図示の例では、抽斗体１４は、蓋部１４ａの後方を枠状をなすように構成させており、本体１３から引き出された位置において、この枠内空間１４ｄに飲料容器Ｐを上方から納めることができるようになっている。また、前記枠内空間１４ｄには、抽斗体１４を本体１３から引き出したときに、この枠内空間１４ｄに納まった水平位置から前端部１４ｆを枠内空間１４ｄ下に位置させる展開位置まで回動される支持部材１４ｅが納められており、前記のように枠内空間１４ｄに納められた飲料容器Ｐの底部Ｐａは展開位置にある支持部材１４ｅの前端部１４ｆによって支持されるようになっている(図３)。すなわち、図示の例では、前記抽斗装置Ｈは、カップホルダーを構成するものとなっている。
【００３２】
図示の例では、前記光源Ｌ（光源Ｌの具体的な図示は省略する。）は、本体１３の前面開口１３ａの左右方向中程の位置であって、この前面開口１３ａの下方において前記本体１３に形成された貫通穴１３ｂを通じて、斜め上方に光を放射するように、本体１３の下面部の外側に備えられている。図中符号１３ｃはかかる光源Ｌの保持部である。
【００３３】
前記抽斗装置Ｈを構成する抽斗体１４の前面、図示の例では、前記蓋部１４ａには、透光性部材１４ｊで閉塞された貫通穴１４ｉよりなる細長い表示部１４ｈが形成されている。前記導光体Ｇは、かかる蓋部１４ａの裏側に、その出射部５を前記表示部１４ｈの後方に位置させるようにして取り付けられている。図示の例では、抽斗体１４を本体１３内に押し込みきった位置において、前記光源Ｌの光が導光体Ｇの前記第一面部１側から入射され、導光体Ｇ内において拡散されて、かかる導光体Ｇの出射部５より前方に放射され、これにより抽斗体１４を本体１３内に押し込みきった位置において前記表示部１４ｈが発光されるようになっている（図４）。図示の例では、抽斗体１４が引き出された位置では、前記支持部材１４ｅの後端側に形成された複数の小孔１４ｇ…１４ｇを通じて光源Ｌの光が漏れるようになっており、これにより、夜間などにおいてカップホルダーに対し飲料容器Ｐを保持させる位置が容易に視認できるようにしてある。
【００３４】
図示の例では、導光体Ｇは、その幅方向に沿った二つの辺部７、８と、前記第二面部２との間に、前記幅方向に沿った長孔状をなす貫通孔１１が形成されており、この貫通孔１１より外側に位置される部分が弾性変形可能部１２となっている。前記蓋部１４ａの裏側には、導光体Ｇの幅寸法と実質的に等しい距離を開けて設けられた上下保持壁１４ｂ、１４ｂと、導光体Ｇの長さ寸法よりもやや小さい距離を開けて設けられた左右保持壁１４ｃ、１４ｃとが形成されており、導光体Ｇは、前記弾性変形可能部１２を弾性変形させながら前記各保持壁１４ｂ…１４ｃに囲繞された空間内にはめ込まれて前記蓋部１４ａの裏側に取り付けられている。
【００３５】
図１３に示されるように、前記第二面部２を構成する傾斜面２ａは、図１３において二点鎖線で示す傾斜した平面とせずに、凹曲面によって構成してあっても良い。また、前記第二面部２は、かかる凹曲面のみで形成しても、傾斜した平面とかかる凹曲面とを組み合わせて構成しても良い。
【００３６】
なお、当然のことながら、本発明は以上に説明した実施態様に限定されるものではなく、本発明の目的を達成し得るすべての実施態様を含むものである。
【符号の説明】
【００３７】
Ｌ  光源
Ｌａ  光軸
Ｇ  導光体
１  第一面部
１ａ  平面
２  第二面部
２ａ  傾斜面
【図１】
2016107699.tif 000003
【図２】
2016107699.tif 000004
【図３】
2016107699.tif 000005
【図４】
2016107699.tif 000006
【図５】
2016107699.tif 000007
【図６】
2016107699.tif 000008
【図７】
2016107699.tif 000009
【図８】
2016107699.tif 000010
【図９】
2016107699.tif 000011
【図１０】
2016107699.tif 000012
【図１１】
2016107699.tif 000013
【図１２】
2016107699.tif 000014
【図１３】
2016107699.tif 000015